(57)【特許請求の範囲】
【請求項１】
底板に立設した仕切板を介して本体ケーシング内部が熱交換器室と機械室とに区画され、上記底板の上記機械室にはアキュムレータが搭載されるアキュムレータ固定具が固定される空気調和機の室外機において、
上記アキュムレータ固定具は、上記底板に固定される基部と、上記基部の一端から垂直に立設される垂直部と、上記垂直部の上端から上記基部に対し平行に延在する台座部とを有する断面コ字状に形成され、上記基部と上記台座部との間の空間部が形成されており、上記空間部が上記底板の上記機械室側の側面から背面にかけて外側を向いて開放するように上記底板の隅に配置されているとともに、
上記本体ケーシングの側面には複数台の室内機に冷媒を分流する分流ユニットがユニット取付具を介して取り付けられており、上記ユニット取付具は、上記アキュムレータ固定具の内側に向かって挿入され上記基部、上記垂直部および上記台座部の各内面に係合する断面コ字状を呈するアンカー部と、上記アンカー部から上記本体ケーシングの側面に沿って立設され上記分流ユニットを支持する支持部とを備えることを特徴とする空気調和機の室外機。
【請求項２】
上記アンカー部は、上記基部に係合する第１係合板と、上記垂直部に係合する第２係合板と、上記台座部に係合する第３係合板とを有し、上記第１〜第３係合板の各々の両側端には、それぞれ上記空間部に向かって直角に折り曲げられた第１〜第３の外側フランジを有し、上記基部、上記垂直部および上記台座部の各々の両側端には、それぞれ上記空間部に向かって直角に折り曲げられた第１〜第３の内側フランジを有し、
上記アキュムレータ固定具内に上記アンカー部を挿入することにより、上記基部が第１係合板と対向し、上記第１外側フランジと上記第１内側フランジとが互いに重なり合い、
上記垂直部が上記第２係合板と対向し、上記第２外側フランジと上記第２内側フランジとが互いに重なり合い、
上記台座部が上記第３係合板と対向し、上記第３外側フランジと上記第３内側フランジとが互いに重なり合うことを特徴とする請求項１に記載の空気調和機の室外機。
【請求項３】
上記支持部は、上記アンカー部から上記本体ケーシングの側面に沿って垂直に立設されるネジ止めプレートと、上記ネジ止めプレートの一端から上記本体ケーシングの側面に対して直交する方向に延在するユニオンプレートとを備え、上記ユニオンプレートには上記分流ユニットのガス分岐管と液分岐管の各先端に設けられたユニオン部が係止される複数のユニオン固定部が設けられていることを特徴とする請求項１に記載の空気調和機の室外機。
【請求項４】
上記空間部は電源線や電気信号線などのケーブルを引き回す配線経路の一部であり、上記本体ケーシングは上記機械室の側面から背面にかけてを覆う側面パネルを備え、上記側面パネルは上記アンカー部に対向する部位がＬ字状に切り欠かれた切欠部を有し、上記切欠部には上記ケーブルを上記本体ケーシングの外に引き出すコンジットパネルが着脱可能に取り付けられていることを特徴とする請求項３に記載の空気調和機の室外機。
【発明の詳細な説明】
【技術分野】
【０００１】
本発明は、複数台の室内機の冷媒配管が接続される分流ユニットを備えたマルチ式の空気調和機の室外機に関する。
【背景技術】
【０００２】
空気調和機の室外機の１つとして、１台の室外機に複数台の室内機を接続するマルチ式の室外機がある。マルチ式の室外機は、複数台の室内機の冷媒配管を接続するための分流ユニットを本体ケーシングの側面に備えている（例えば特許文献１参照）。
【０００３】
分流ユニットは、ガス側操作弁に接続されるガス冷媒配管と、液側操作弁に接続される液冷媒配管とを有し、各冷媒配管がともに分岐管を介してユニット取付具に支持されている。ユニット取付具は、頑丈な金属製プレートを板金加工したものからなり、分流ユニットを支持する支持部と、本体ケーシング側に固定するためのアンカー部とを備えている。
【０００４】
ユニット取付具は、支持部に分流ユニットを取り付けた後、アンカー部を本体ケーシングの底板にネジ止めすることで固定されているが、特許文献１のユニット取付具は、底板に対して片持ち状態で組み付けられるため、不安定でぐらつきやすかった。
【０００５】
ユニット取付具は、支持部の大きさに対しアンカー部が小さく、重心も上方に位置するため、それ自体が不安定である。また、ユニット取付具は、室外機の組み立て工程の途中で組み付けられるため、ユニット取付具がぐらつくと室外機全体の組立安定性が悪かった。
【先行技術文献】
【特許文献】
【０００６】
【特許文献１】特開２０１５−８１７４６号公報
【発明の概要】
【発明が解決しようとする課題】
【０００７】
そこで、本発明の課題は、本体ケーシングに分流ユニットを取り付けるユニット取付具の取付強度を高めて、組立安定性のよい空気調和機の室外機を提供することにある。
【課題を解決するための手段】
【０００８】
上述した課題を解決するため、本発明は、底板に立設した仕切板を介して本体ケーシング内部が熱交換器室と機械室とに区画され、上記底板の上記機械室にはアキュムレータが搭載されるアキュムレータ固定具が固定される空気調和機の室外機において、上記アキュムレータ固定具は、上記底板に固定される基部と、上記基部の一端から垂直に立設される垂直部と、上記垂直部の上端から上記基部に対し平行に延在する台座部とを有する断面コ字状に形成され、上記基部と上記台座部との間の空間部が形成されており、上記空間部が上記底板の上記機械室側の側面から背面にかけて外側を向いて開放するように上記底板の隅に配置されているとともに、上記本体ケーシングの側面には複数台の室内機に冷媒を分流する分流ユニットがユニット取付具を介して取り付けられており、上記ユニット取付具は、上記アキュムレータ固定具の内側に向かって挿入され上記基部、上記垂直部および上記台座部の各内面に係合する断面コ字状を呈するアンカー部と、上記アンカー部から上記本体ケーシングの側面に沿って立設され上記分流ユニットを支持する支持部とを備えることを特徴としている。
【０００９】
より好ましい態様として、上記アンカー部は、上記基部に係合する第１係合板と、上記垂直部に係合する第２係合板と、上記台座部に係合する第３係合板とを有し、上記第１〜第３係合板の各々の両側端には、それぞれ上記空間部に向かって直角に折り曲げられた第１〜第３の外側フランジを有し、上記基部、上記垂直部および上記台座部の各々の両側端には、それぞれ上記空間部に向かって直角に折り曲げられた第１〜第３の内側フランジを有し、上記アキュムレータ固定具内に上記アンカー部を挿入することにより、上記基部が第１係合板と対向し、上記第１外側フランジと上記第１内側フランジとが互いに重なり合い、上記垂直部が上記第２係合板と対向し、上記第２外側フランジと上記第２内側フランジとが互いに重なり合い、上記台座部が上記第３係合板と対向し、上記第３外側フランジと上記第３内側フランジとが互いに重なり合うようになっている。
【００１０】
また別の態様として、上記支持部は、上記アンカー部から上記本体ケーシングの側面に沿って垂直に立設されるネジ止めプレートと、上記ネジ止めプレートの一端から上記本体ケーシングの側面に対して直交する方向に延在するユニオンプレートとを備え、上記ユニオンプレートには上記分流ユニットのガス分岐管と液分岐管の各先端に設けられたユニオン部が係止される複数のユニオン固定部が設けられている。
【００１１】
さらに好ましい態様として、上記空間部は電源線や電気信号線などのケーブルを引き回す配線経路の一部であり、上記本体ケーシングは上記機械室の側面から背面にかけてを覆う側面パネルを備え、上記側面パネルは上記アンカー部に対向する部位がＬ字状に切り欠かれた切欠部を有し、上記切欠部には上記ケーブルを上記本体ケーシングの外に引き出すコンジットパネルが着脱可能に取り付けられている。
【発明の効果】
【００１２】
本発明によれば、基部と垂直部と台座部とを断面コ字状に形成してなるアキュムレータ固定具の内面に、基部、垂直部および台座部の各内面に係合する第１〜第３係合板を有する断面コ字状のアンカー部を差し込み、アキュムレータ固定具３とアンカー部５１とを合わせた状態で固定することにより、ユニット取付具とアキュムレータ固定具との連結部分における機械的強度が向上するため、分流ユニットのぐらつきが防止され、その結果、組立安定性が向上する。
【図面の簡単な説明】
【００１３】
【図１】本発明の一実施形態に係る空気調和機の室外機の配管カバーを取り外した状態の分解斜視図。
【図２】上記室外機の配管カバーを取り外した状態の右側面図。
【図３】サービスパネルを取り外し、上記室外機の機械室内の構造を説明する斜視図。
【図４】サービスパネルおよびコンジットパネルを取り外し、分流ユニットを背面側から見た状態の拡大斜視図。
【図５】アキュムレータ固定具およびユニット取付具の分解斜視図。
【図６】アキュムレータ固定具にユニット取付具を固定した状態の斜視図。
【図７】（ａ）基部と第１係合板の係合状態，（ｂ）垂直部と第２係合板の係合状態および（ｃ）台座部と第３係合板の係合状態を模式的に示す要部断面図。
【図８】アキュムレータ固定具、ユニット取付具および側面パネルのネジ止めを示す断面図。
【発明を実施するための形態】
【００１４】
次に、本発明の実施形態について図面を参照しながら説明するが、本発明はこれに限定されるものではない。
【００１５】
図１に示すように、この空気調和機の室外機１は、直方体形状の本体ケーシング２を備えている。本体ケーシング２は、長方形状に形成された底板２１と、熱交換器室ＨＣの前面側に配置され、送風ファンの吹出グリル２２１を有する吹出パネル２２と、機械室ＭＣの前面側に配置されるサービスパネル２４と、機械室ＭＣの右側面から背面にかけて配置される側面パネル２５と、本体ケーシング２の天面に取り付けられる天板２６とを備えている。
【００１６】
図３を併せて参照して、本体ケーシング２の内部は、仕切板２０により、熱交換器および送風ファン（共に図示しない）を含む熱交換器室ＨＣと、アキュムレータＡおよび圧縮機Ｃなどの機械ユニットや電装品ユニットを備えた機械室ＭＣとに区画されている。本発明において、熱交換器室ＨＣの具体的な構成は任意であってよく、その説明は省略する。
【００１７】
機械室ＭＣの前面側（図３では左前面側）には、図示しない四方弁を介して圧縮機ＣとアキュムレータＡに接続される冷媒配管のガス側操作弁ＶＧおよび液側操作弁ＶＬがバルブプレート２７を介して取り付けられている。圧縮機Ｃは、バルブプレート２７の後方に取り付けられ、アキュムレータＡは、圧縮機Ｃよりも後方で側面パネル２５寄りに取り付けられている。
【００１８】
図５を併せて参照して、アキュムレータＡは、専用のアキュムレータ固定具３を介して底板２１に取り付けられている。アキュムレータＡの具体的な構成や仕様については、本発明において任意的事項である。
【００１９】
アキュムレータ固定具３は、本体ケーシング２の底板２１に沿わせて固定される基部３１と、基部３１の一端から垂直に立設される垂直部３２と、垂直部３２の上端から基部３１の他端側に向かって基部３１と平行に延在する台座部３３とを有し、基部３１と台座部３３との間の空間３４が側面パネル２５に向けて開放された断面コ字状に形成されている。この実施形態において、アキュムレータ固定具３は、１枚の鋼板を折り曲げ加工して形成されているが、複数枚の金属板を溶接などによって繋ぎ合わせて形成されてもよい。
【００２０】
アキュムレータ固定具３を基部３１と台座部３３の各先端部（垂直部３２との連結端とは反対の自由端）を正面に見て、基部３１の両端（図５では左右両端）には、第１内側フランジ３１１，３１１が設けられている。また、垂直部３２の両端（図５では左右両端）にも、第２内側フランジ３２１，３２１が設けられている。さらに、台座部３３の両端（図５では左右両端）にも、第３内側フランジ３３１，３３１が設けられている。各内側フランジ３１１，３２１，３３１はともに空間部３４に向かってほぼ直角に折り曲げられ、互いに折り重なった部分で溶接により一体的に固着されている。
【００２１】
アキュムレータＡは、台座部３３の上面に専用の取付金具３５を介して取り付けられているが、本発明において、取付金具３５は任意的事項であるため、その説明は省略する。台座部３３の先端部にはさらに、後述する分流ユニット４のユニット取付具５の一部がネジ止めされるネジ止め部３６が設けられている。
【００２２】
この実施形態において、ネジ止め部３６は、台座部３３の先端部からほぼ垂直上方に延びる舌片状を呈し、台座部３３とは別体で成形されてネジ止めされている。ネジ止め部３６は、台座部３３に一体成形であってもよい。また、ネジ止め部３６の中央には、ユニット取付具５をネジ止めするためのネジ孔３６１が設けられている。
【００２３】
アキュムレータ固定具３は、基部３１と台座部３３の各先端部が底板２１の機械室ＭＣ側の側面パネル２５側、つまり本体ケーシング２の外側を向くように、底板２１の側面フランジ２１１と背面フランジ２１２とが交わる隅部に配置されている。これにより、アキュムレータ固定具３は、空間部３４が本体ケーシング２の側面から背面にわたって開放されている。
【００２４】
この実施形態において、空間部３４は、本体ケーシング２の背面側から本体ケーシング２内に引き込まれ、電装品ユニットに接続される電源線や電気信号線などのケーブルＬ（図４参照）を引き回す配線経路の一部となっている。
【００２５】
図２ないし図４を併せて参照して、側面パネル２５は、その下端部が側面から背面中程にかけてＬ字状に切り欠かれており、そのパネル取付部２５１にコンジットパネル２８が着脱可能に取り付けられている。
【００２６】
コンジットパネル２８は、機械室ＭＣ上部にある電装品ユニット（図示なし）と室内機を接続する電気信号線が挿通されたコンジット管２８１を本体ケーシング２に固定するためのパネルである。この実施形態において、コンジット管２８１は、接続される室内機の台数分に加え、電源線を収容するコンジット管２８１ａが設けられている。コンジットパネル２８の背面側には、コンジット管２８１の先端に設けられた接続端子２８２が係止される図示しない複数の接続口が設けられている。コンジットパネル２８は、複数の電気信号線が取り付けられ、メンテナンスできる高さを備える。
【００２７】
側面パネル２５の右側面下端には切欠部２５２が設けられている。この切欠部２５２は、側面パネル２５の中央下端から上方に向かってアーチ状に切りかかれた切欠孔である。これによれば、側面パネル２５の下端にコンジットパネル２８を取り付けることにより、後述する分流ユニット４のガス冷媒配管４Ｇと液冷媒配管４Ｌとを外に引き出す配管引出口Ｈが形成される。
【００２８】
この実施形態において、配管引出口Ｈには、配管引出口Ｈの開口部を塞ぎつつ、分流ユニット４のガス冷媒配管４Ｇと液冷媒配管４Ｌとが側面パネル２５に接触しないようにするための配管固定具７が設けられている。
【００２９】
この実施形態において、配管固定具７はラバー製であり、ユニット取付具５のアンカー部５１にスポット溶接された配管支持具にバインド線（共に図示しない）で固定されたのち、側面パネル２５とコンジットパネル２８とで挟まれることにより、各冷媒配管４Ｌ，４Ｇが安定して固定される。
【００３０】
本体ケーシング２には、複数台の室内機の冷媒配管（ともに図示しない）に接続される分流ユニット４がユニット取付具５を介して取り付けられている。図２ないし図４を参照して、分流ユニット４は、ガス側操作弁ＶＧに接続されるガス冷媒配管４Ｇと、液側操作弁ＶＬに接続される液冷媒配管４Ｌとを備えている。
【００３１】
ガス冷媒配管４Ｇは、機械室ＭＣ内を通って配管引出口Ｈから外側に至るガス連結部４１Ｇと、配管引出口Ｈから本体ケーシング２の側面（図１では右側面）に沿って上方に延設されたガスヘッダ部４２Ｇとを有し、それらが１本の連続した金属パイプから形成されている。本発明において、ガス連結部４１Ｇについての具体的な説明は特に必要ないため、省略する。
【００３２】
ガスヘッダ部４２Ｇには、軸線方向に沿って所定の間隔をもって複数のガス分岐管４３Ｇが配置されている。この実施形態において、ガス分岐管４３Ｇは、１本のガスヘッダ部４２Ｇに６本設けられている。つまり、この例では６台の室内機に接続できるようになっている。
【００３３】
ガス分岐管４３Ｇは、基端側がガスヘッダ部４２にロウ付けされる。ガス分岐管４３には、管内の温度を測定する図示しない温度センサを支持するセンサホルダ４６Ｇが設けられている。ガス分岐管４３の先端には、ガス分岐管４３と室内機からの冷媒配管を接続するとともに、接続部をユニオン固定部３１３に固定するためのガス側ユニオン４５Ｇが設けられている。さらにガス側ユニオン４５Ｇの先端には、冷媒配管を固定するガス側フレアナット４４Ｇが設けられている。
【００３４】
液冷媒配管４Ｌは、機械室ＭＣ内を通って配管引出口Ｈから外側に至る液連結部４１Ｌと、配管引出口Ｈから本体ケーシング２の側面（図１では右側面）に沿って上方に延設された液ヘッダ部４２Ｌとを有し、それらが１本の連続した金属パイプから形成されている。液連結部４１Ｌについても具体的な説明は特に必要ないため、省略する。
【００３５】
液ヘッダ部４２Ｌには、軸線方向に沿って所定の間隔をもって複数の液分岐管４３Ｌが配置されている。この実施形態において、液分岐管４３Ｌは、１本の液ヘッダ部４２Ｌに６本設けられている。つまり、この例では６台の室内機に接続できるようになっている。
【００３６】
液分岐管４３Ｌは、基端側が液ヘッダ部４２Ｌにロウ付けされる。液分岐管４３Ｌの先端側には、液分岐管４３Ｌと室内機からの冷媒配管を接続するとともに、接続部をユニオンプレート５７に固定するための液側ユニオン４５Ｌが設けられている。さらに液側ユニオン４５Ｌの先端には冷媒配管を固定する液側フレアナット４４Ｌが設けられている。
【００３７】
液分岐管４３Ｌには、液分岐管４３Ｌ内を流れる液冷媒の流量を制御する電磁弁４６Ｌが設けられている。電磁弁４６Ｌは、図示しない制御部により、弁の開度量が制御される。なお、液分岐管４３Ｌにも温度センサが設けられていてもよい。
【００３８】
次に、図５を参照して、ユニット取付具５の構成を説明する。ユニット取付具５は、鋼板材を折り曲げ加工して形成され、ユニット取付具５を本体ケーシング２に固定するためのアンカー部５１と、分流ユニット４を支持する支持部５２とを備えている。
【００３９】
アンカー部５１は、底板２１に対して平行に配置される四角形状の第１係合板５３と、第１係合板５３の一端からほぼ垂直に立設される四角形状の第２係合板５４と、第２係合板５４の上端から第１係合板５３の先端部（第２係合板５３との連結端とは反対の自由端）に向けて平行に延在する四角形状の第３係合板５５とを有し、アキュムレータ固定具３の内周面に沿って係合可能な断面コ字状に形成されている。
【００４０】
アンカー部５１の第１係合板５１の先端部を正面に見て、第１係合板５３は、アキュムレータ固定具３の基部３１に係合され、その両端（図５では左右両端）には第１外側フランジ５３１，５３１が設けられている。第１外側フランジ５３１，５３１は、第１係合板５３の両側端部を外側（図５では下側）に向かってほぼ直角に折り曲げた舌片である。第１外側フランジ５３１，５３１は、アキュムレータ固定具３に向かう角部が斜めに切りかかれており、この切欠部５３１ａにより、第１係合板５３をアキュムレータ固定具３にスムーズに差し込むことができるようになっている。
【００４１】
第１係合板５３の先端部には、底板２１の側面フランジ２１１にネジ止めされる固定リブ５３２が設けられている。固定リブ５３２は、第１係合板５３の先端を外側（図５では下側）に向かってほぼ直角に折り曲げた舌片であって、側面フランジ２１１に沿って突き当てられる。
【００４２】
固定リブ５３２の両側端と第１外側フランジ５３１，５３１との突き合わせ部分には、側面フランジ２１１が挿通される案内溝５３３，５３３が形成されている。固定リブ５３２にはさらに、固定リブ５３２を底板２１の側面フランジ２１１にネジ止めするためのネジ孔５３４が、この例では２カ所に設けられている。
【００４３】
第２係合板５４は、アキュムレータ固定具３の垂直部３２に係合され、その両端（図５では左右両端）には第２外側フランジ５４１，５４１が設けられている。第２外側フランジ５４１，５４１は、第２係合板５４の両端を外側（図５では右斜め奥側）に向かってほぼ直角に折り曲げた舌片である。
【００４４】
この実施形態において、第２外側フランジ５４１，５４１は、先端部５４１ａが外側に拡がるように折り曲げられている。これによれば、アンカー部５１をアキュムレータ固定具３に挿入する際、アンカー部５１を正確な取付位置に容易に案内することができる。
【００４５】
第３係合板５５は、アキュムレータ固定具３の台座部３３に係合され、その両端（図５では左右両端）には第３外側フランジ５５１，５５１が設けられている。第３外側フランジ５５１，５５１は、第３係合板５５の両側端部を外側（図５では上側）に向かってに折り曲げた舌片である。
【００４６】
この例において、第３外側フランジ５５１，５５１は、基端側から先端側に向かって開口幅が漸次拡がるように折り曲げられている。さらに第３外側フランジ５５１，５５１の側端（垂直部３２に対向する側端）には、基端側から外側に向かって漸次拡がるテーパー部５５２，５５２が設けられている。
【００４７】
これにより、アンカー部５１をアキュムレータ固定具３に挿入する際、第３外側フランジ５５１，５５１がアキュムレータ固定具３に引っ掛かることなく、正確な取付位置に容易に案内することができる。
【００４８】
次に、支持部５２は、アンカー部５１の第３係止部５５の先端部からほぼ垂直に立設され、側面パネル２５にネジ止めされるネジ止めプレート５６と、ネジ止めプレート５６の一端（図５では左端）に一体的に形成され、分流ユニット４が取り付けられるユニオンプレート５７とを備えている。
【００４９】
ネジ止めプレート５６は、第３係止部５５の先端を基端とし、そこからほぼ垂直に延在する矩形状のプレートであって、この例では３箇所にネジ止め孔５６１が等間隔で穿設されている。
【００５０】
ネジ止めプレート５６の基端側（図５では下端側）にはさらに、上述した台座３３の先端に設けられたネジ止め部３６が挿入される係止部５６２が設けられている。図８に示すように、係止部５６２は、ネジ止めプレート５６の一方の面（図８では左側面）から他方の面（図８では右側面）に向かって凹部となるようにプレス加工してなる長方形状の凹部であって、下側がせん断によって開口された挿入口５６４が形成されている。係止部５６２にはさらに、ネジ止め用のネジ孔５６３が設けられている。
【００５１】
ユニオンプレート５７は、ネジ止めプレート５６の一端（図５では左端）を、第３係合板５５の先端から離反する方向にほぼ直角に折り曲げた長方形状を呈し、ガス側ユニオン４５Ｇが固定されるガス側ユニオン固定部５７１と、ガス側ユニオン固定部５７１に比べて小径で、液側ユニオン４５Ｌが固定される液側ユニオン固定部５７２とが設けられている。
【００５２】
各ユニオン固定部５７１，５７２は、それぞれガス側ユニオン４５Ｇと、液側ユニオン４５Ｌが挿通可能な六角形状に打ち抜かれた打ち抜き孔であり、ガス側ユニオン固定部５７１（下側）と液側ユニオン固定部５７２（上側）とが上下一対となって、所定の間隔でこの例では６組が設けられている。この実施形態において、各ユニオン固定部５７１，５７２の周囲には、ユニオンプレート５７の機械的強度を高めるための補強リブ５７３が設けられている。
【００５３】
ユニオンプレート５７にはさらに、分流ユニット４を覆い隠すために本体ケーシング２の側面に取り付けられる配管カバー６を、支持部５２に押圧するための係合リブ５７４，５７５が設けられている。
【００５４】
一方の係合リブ５７４は、ユニオンプレート５７の一方の側端部（図５では上端側）に配置され、ユニオンプレート５７の基端側（ネジ止めプレート５６に連結される側の端部：図５では右端）から先端側（図５では左端）に向かって漸次高さが小さくなるように形成されている。
【００５５】
他方の係合リブ５７５は、ユニオンプレート５７の他方の側端部（図５では下端側）に配置され、ネジ止めプレート５６との連結部を基端として、そこからユニオンプレート５７の先端側（図５では左端側）に向かって延在する部分５７５ａと、ネジ止めプレート５６の先端側（図５では右端側）に向かって延在する部分５７５ｂとを備えたＬ字状に形成されている。
【００５６】
ユニオンプレート５７の先端（図５では左端）にはさらに、配管カバー６を取り付ける際、配管カバー６の取付位置を位置合わせするための位置決めプレート５８が設けられている。
【００５７】
位置決めプレート５８は、ユニオンプレート５７の先端を外側（ネジ止めプレート５６とは逆方向）にほぼ直角に折り曲げて形成され、そのプレート面５８１が配管カバー６の一部に当接することにより、配管カバー６の取付位置が位置決めされる。
【００５８】
位置決めプレート５８にはさらに、配管カバー６を仮止めする際に配管カバー６側に設けられた図示しない係止爪によって係止される係止片５８２が設けられている。
【００５９】
係止片５８２は、位置決めプレート５８のほぼ中央からプレート面５８１に沿って平行に突設された舌片からなり、その側端（図５では上端）には、係止爪によって係止される係止面５８３が形成されている。
【００６０】
図５および図６を参照して、アキュムレータ固定具３にユニット取付具５を取り付ける取付手順の一例について説明する。なお、ユニット取付具５をアキュムレータ固定具３に取り付ける前に、ユニット取付具５の支持部５２には、ガス側ユニオン４５Ｇと液側ユニオン４５Ｌとが予め取り付けられている。
【００６１】
分流ユニット４が取り付けられた状態で、ユニット取付具５のアンカー部５１をアキュムレータ固定具３の空間部３４に挿入する。その際、第１係合板５３に形成された切欠部５３１ａや第２係合部５４の先端部５４１ａ、さらに第３係合板５５の第３外側フランジ５５１およびテーパ部５５２によって、ユニット取付具５が分流ユニット４の空間部３４にスムーズに案内される。
【００６２】
ユニット取付具５をアキュムレータ固定具３に固定するにあたっては、まず、図８に示すように、ネジ止め部３６の先端を係止部５６２の挿入口５６４から差し込む。併せて、固定リブ５３２の両端に形成された案内溝５３３，５３３に側面フランジ２１１を差し込んだのち、固定リブ５３２と側面フランジ２１１に設けられたネジ孔同士をネジ止めする。なお、この時点でユニット取付具５はアキュムレータ固定具３に仮固定された状態である。
【００６３】
これによれば、アキュムレータ固定具３にユニット取付具５のアンカー部５１を挿入することにより、図７（ａ）に示すように、基部３１が第１係合板５３と対向して配置され、その両側に配置された第１外側フランジ５３１，５３１と第１内側フランジ３１１，３１１とが互いに重なり合うことにより、中空な箱形フレーム構造が形成される。
【００６４】
また、図７（ｂ）に示すように、垂直部３２が第２係合板５４と対向して配置され、その両側に配置された第２外側フランジ５４１，５４１と第２内側フランジ３２１，３２１とが互いに重なり合うことにより、中空な箱形フレーム構造が形成される。
【００６５】
さらに、図７（ｃ）に示すように、台座部３３が第３係合板５５と対向して配置され、第３外側フランジ５５１，５５１と第３内側フランジ３３１，３３１とが互いに重なり合うことにより、中空な箱形フレーム構造が形成される。
【００６６】
これにより、アキュムレータ固定具３とユニット取付具５とが互いの機械的強度を高めるように一体化されるため、ユニット取付具５を組み付けた後でも、ユニット取付具５がぐらついたり、撓んだりすることが防止される。
【００６７】
さらには、アキュムレータ固定具３の空間部３４は、そのままの形で残されるため、ケーブルＬを無理なく挿通することができる。
【００６８】
アキュムレータ固定具３とユニット取付具５とを仮固定し、ここに配管や配線などを組み付けたのち、アキュムレータＡとユニット固定具５との間に側面パネル２５を上方から差し込むことにより、図８に示すように、側面パネル２５の下端が、アキュムレータ固定具３の台座部３６によって支持される。
【００６９】
側面パネル２５の下端が、アキュムレータ固定具３の台座部３３に突き当たると、ネジ止め部３６のネジ孔３６１、係止部５６２のネジ孔５６３および側面パネル２５のネジ孔２５３が同一軸線上となり、ネジＳを介してネジ止めすることにより、アキュムレータ固定具３とユニット取付具５とが一体的に固定される。
【００７０】
以上説明したように、本発明によれば、基部３１と垂直部３２と台座部３３とを断面コ字状に形成してなるアキュムレータ固定具３の内面に、基部３１、垂直部３１および台座部３１の各内面に係合する第１〜第３係合板５３〜５５を有する断面コ字状のアンカー部５１を差し込み、アキュムレータ固定具３とアンカー部５１とを合わせた状態で固定することにより、ユニット取付具とアキュムレータ固定具との連結部分における機械的強度が向上するため、分流ユニットのぐらつきが防止され、その結果、組立安定性が向上する。
【符号の説明】
【００７１】
１  室外機
２  本体ケーシング
２１  底板
２２  吹出パネル
２４  サービスパネル
２５  側面パネル
２６  天板
３  アキュムレータ固定具
３１  基部
３２  垂直部
３３  台座部
３４  空間部
４  分流ユニット
４Ｇ  ガス冷媒配管
４１Ｇ  ガス連結部
４２Ｇ  ガスヘッダ部
４３Ｇ  ガス分岐管
４Ｌ  液冷媒配管
４１Ｌ  液連結部
４２Ｌ  液ヘッダ部
４３Ｌ  液分岐管
５  ユニット取付具
５１  アンカー部
５２  支持部
５３  第１係合板
５４  第２係合板
５５  第３係合板
５６  ネジ止めプレート
５７  ユニオンプレート
５８  位置決めプレート
６  配管カバー
Ａ  アキュムレータ
Ｃ  圧縮機
Ｌ  ケーブル
ＶＧ  ガス側操作弁
ＶＬ  液側操作弁
Ｈ  配管引出口
【図１】
0006481827.tif 000002
【図２】
0006481827.tif 000003
【図３】
0006481827.tif 000004
【図４】
0006481827.tif 000005
【図５】
0006481827.tif 000006
【図６】
0006481827.tif 000007
【図７】
0006481827.tif 000008
【図８】
0006481827.tif 000009